(57)【要約】【課題】作物を傷つけることなく、また、疲労感を少なくして草の掻き取り作業を容易にするとともに、怪我をさせにくい草かき万能を提供すること。【解決手段】草かき万能１は、掻き取り部本体３と柄保持部５と柄７とを有している。掻き取り本体部３は、帯状の板部材を屈曲して筒状扇形に形成するとともに、底面に形成する掻き取り部３１と、側面に形成するガード部３２、３２と、柄保持部５と連結する連結部３３、３３とを備えている。掻き取り部３１を下方に突出する円弧状に形成するとともに、掻き取り部３１の一端側に刃部３１１を形成し、ガード部３２の掻き取り部３１との連接部の一部に刃部３２１を形成する。【選択図】図１
2006174809.tif 000002
【特許請求の範囲】
【請求項１】
草を掻き取り可能な刃部を有する掻き取り本体部と、柄を挿入可能な柄保持部と、を備える草かき万能であって、
前記掻き取り本体部は、帯状の板部材を屈曲させて筒状に形成されるとともに、
前記刃部が筒状に形成された前記掻き取り本体部の底部部の一端側に形成され、
前記柄保持部が筒状に形成された前記掻き取り本体部の上部に配置されていることを特徴とする草かき万能。
【請求項２】
前記掻き取り本体部は、底面部に形成される掻き取り部と前記掻き取り部に連接され側面部に形成されるガード部と前記柄保持部と連結する連結部とを有して形成され、前記掻き取り部と前記掻き取り部に連接する前記ガード部の一部に刃部が形成されていることを特徴とする請求項１記載の草かき万能。
【請求項３】
前記掻き取り部が長手方向に対して円弧状に形成されていることを特徴とする請求項２記載の草かき万能。
【請求項４】
少なくとも前記掻き取り本体部は、防錆製の材料で形成されるか又は表面全体に防錆処理が施されていることを特徴とする請求項１，２又は３記載の草かき万能。
【発明の詳細な説明】
【技術分野】
【０００１】
本発明は、畑地や庭地の草を掻き取るための草かき万能に関する。
【背景技術】
【０００２】
一般に、万能（マンノウ）といわれる農具２０は、図６に示すように、長い柄２１の先端に鋭角状の刃部２２１を形成した略三角状の掻き取り板部２２を有して形成され、立ち姿で草を掻き取ったり、畑地の畝間の溝を中耕あるいは土寄せ等を行ったりするために使用されている。また、別の万能は、あぶみ万能４０というものであって、図７に示すように、柄４１の先端に筒状枠４２が形成され、筒状枠４２の底面から一方に向かって矩形状の掻き取り板部４３が突出して形成されている。掻き取り板部４３の一端面には刃部４３１が形成されている。
【０００３】
上記の万能２０、４０は、いずれも掻き取り板部２２、４３が平面状に形成され、平板状の畑地面や庭地面で手前に引き寄せるように使用することに好適である。なお、図６、７に示すような万能２０、４０は一般的に知られているものであって、これに関する特許文献は発見されていない。
【発明の開示】
【発明が解決しようとする課題】
【０００４】
しかし、もともと畑地には野菜等の作物を植えてあることから、雑草をかき取る際に、作物を傷つける虞れがあった。また、同時に掘られた土が掻き取り板部上に溜まって、掻き取り作業中に万能自体を重くする虞れもあった。
【０００５】
つまり、図６に示す従来の万能２０の場合、略三角状の掻き取り板部２２が一方に突出するとともに掻き取り板部２２の一端面に刃部２２１が形成され、さらに掻き取り板部２２の背部は柄２１を保持する保持部に連なって壁部を形成していることから、掘り出した土が背部の壁に当たって掻き取り板部２２上に溜まりやすく、これによって万能２０が重くなって掻き取り作業に疲労感を覚えることとなっていた。また、掻き取り板部２２が柄部２１に対して一方側に突出していることから、足や手を刃部２２１に接触しやすく怪我をしやすい。さらに、突出された掻き取り板部２２の刃部２２１は、植えてある作物に接触して作物を傷つけやすい。
【０００６】
また、図７に示す万能４０は、背部が開口していることから、掘りだした土は掻き取り板部４３に溜まりにくいものの、掻き取り板部４３が筒状枠４２より一方側に突出してその前面に刃部４３１を有していることから、怪我をしやすくまた作物を傷つけやすかった。
【０００７】
さらに、上記に示すいずれの万能２０、４０においても、掻き取り板部２２、４３は、鍛造で形成されるため、刃部２２１、４３１から徐々に板厚が厚くなって、万能自体を重くすることになり、長時間の掻き取り作業に疲労感を覚えることとなっていた。
【課題を解決するための手段】
【０００８】
本発明は、上述の課題を解決するものであり、草を掻き取る際に作物を傷つけることなくまた、掘り出した土が溜まらないように形成する安全な草かき万能を提供することを目的とする。そのため、本発明に係る草かき万能は、
請求項１記載の発明では、草を掻き取り可能な刃部を有する掻き取り本体部と、柄を挿入可能な柄保持部と、を備える草かき万能であって、
前記掻き取り本体部は、帯状の板部材を屈曲させて筒状に形成されるとともに、
前記刃部が筒状に形成された前記掻き取り本体部の底面部の一端側に形成され、
前記柄保持部が筒状に形成された前記掻き取り本体部の上部に配置されていることを特徴とするものである。
【０００９】
請求項２記載の発明では、前記掻き取り本体部は、底面部に形成される掻き取り部と前記掻き取り部に連接され側面部に形成されるガード部と前記柄保持部と連結する連結部とを有して形成され、前記掻き取り部と前記掻き取り部に連接する前記ガード部の一部に刃部が形成されていることを特徴としている。
【００１０】
請求項３記載の発明では、前記掻き取り部が長手方向に対して円弧状に形成されていることを特徴としている。
【００１１】
請求項４記載の発明では、少なくとも前記掻き取り本体部は、防錆製の材料で形成されるか又は表面全体に防錆処理が施されていることを特徴としている。
【発明の効果】
【００１２】
請求項１記載の発明によれば、柄保持部に長い柄を装着した後、柄の先を手で持って掻き取り本体部を手元側に引き寄せることによって草を掻き取ることができる。この際、柄保持部に連接する掻き取り本体部は、帯状の板部材で筒状に形成して、刃部を一方の側に突出させていないことから、例えば、足や手を刃部に接触させることによる怪我をしにくい。さらに、筒状に形成された掻き取り本体部は、植えられている作物を側面部でガードすることになるから、刃部で作物を傷つける虞れも少ない。しかも背部は開口していることから、掘り出した土は、掻き取り本体部からくぐり抜けることができ、掻き取り本体部の底面部に溜まらない。従って、万能が重くならないから疲労感が少なくなる。また、掻き取り本体部は、帯状の板部材を屈曲して形成していることから、同じ板厚となってそれ自体で重量を軽減することができるとともに、土に差し込みやすいことから楽に作業をすることができる。
【００１３】
請求項２記載の発明によれば、掻き取り部とガード部の一部に刃部が形成されていることから、土寄せの際に、刃部の両端部における凹凸面を少なくして平面状に土寄せすることができる。また、例えば、掻き取り部とガード部との連接部を下方に向けて土を掘れば、深く掘ることができるから草の根まで掻き取ることができる。
【００１４】
請求項３記載の発明によれば、掻き取り本体部の掻き取り部を円弧状に形成することによって、掻き取り部を畝と畝との間の溝に入れやすいことから、中耕や土寄せをしやすく、また、円弧状に形成された畝の溝に生えている草をかき取りやすい。
【００１５】
請求項４記載の発明によれば、掻き取り本体部が防錆材料で形成するか又は防錆処理を施していれば、錆にくく長期間の使用に耐えることができる。
【発明を実施するための最良の形態】
【００１６】
次に、本発明の草かき万能の作用を図に基づいて説明する。
【００１７】
実施形態の草かき万能（以下、万能という）１は、掻き取り本体部３と、掻き取り本体部３に連接する柄保持部５と、柄保持部５に挿入される柄７と、を有して構成されている。
【００１８】
掻き取り本体部３は、防錆材料、例えばステンレス製の帯状の板を屈曲させて扇形筒状に形成されるとともに、底面部に形成される掻き取り部３１と、側面部に形成されるとともに掻き取り部３１の両端部から掻き取り部３１に連接されたガード部３２、３２と、各ガード部３２、３２の上端から延設する柄保持部５との連結部３３、３３を有して構成されている。
【００１９】
実施形態の掻き取り部３１は、長手方向に対して下方に突出する円弧状に形成され、一端側に刃部３１１を有している。掻き取り部３１は、勿論、円弧状でなく直線状に形成したり、角状に形成したりしてもよい。円弧状又は角状に形成する場合は、畝の溝に嵌りやすく溝内の草の掻き取りに有利でありまた溝の中耕や溝の土寄せに好適である。直線状に形成されている場合は、畝を作る前の平板状の畑地の除草を行うのに好適である。
【００２０】
さらに、掻き取り部３１に形成される刃部３１１の形状は、全面にわたって鋭角状の刃部に形成してもよく、また、鋸歯状に形成してもよい。
【００２１】
ガード部３２、３２は、掻き取り部３１の刃部３１１が作物に接触することを防止するガードの役目をするものであり、また、掻き取り部３１との連接部の一部に刃部３２１、３２１をそれぞれ形成している。これによって、万能１で土寄せする場合、ガード部３２においても土寄せできることから、掻き取り部３１の刃部３１１の両端における凹凸面を少なくして略平面状に土を寄せることができる。
【００２２】
掻き取り部３１とガード部３２とは一体的に連接して形成され、実施形態の場合、掻き取り部３１とガード部３２とを含めた形状は扇形筒状に形成されているが、勿論、円筒状に近い形でもよく、楕円状、あるいは、真円状であってもよい。扇形の場合、掻き取り部３１とガード部３２との連接部における曲率半径が大きければ、例えば、植えられている作物に接触しても作物を傷つける度合いは小さいことから望ましい。
【００２３】
連結部３３は、板状に形成され柄保持部５と溶着されている。勿論、柄保持部５が円筒状に形成されていれば、柄保持部５の外周面に合わせて円弧状に形成してもよい。
【００２４】
実施形態の柄保持部５は、柄７を挿入するために円筒状に形成され、掻き取り本体部３に対して傾斜して装着されている。例えば、柄７が柄保持部５との挿入部を角状に形成するものであれば、柄保持部５を角筒状に形成することもできる。
【００２５】
柄７は、通常、使用者が、立ち姿で万能を使用することから、柄７の長さは長く形成されるが、例えば、草かきを目的として万能を使用する場合、座位姿勢で使用するために柄７の長さを短く形成してもよい。柄７の断面形状は、真円あるいは楕円でもよくまた角状であってもよい。
【００２６】
次に、上述のように構成された万能１の作用について説明する。図４に示すように、長い柄７が挿入された万能１で畑地の草の掻き取りを行う場合、使用者は立ち姿で柄７の一端を両手で持ち、刃部３１１を手前側に向けて配置する。そして、掻き取り本体部３１の刃部３１１を草にあてて引き寄せる。すると掻き取られた草は掻き取り本体部の掻き取り部３１とガード部３２で手前側に引き寄せられ、同時に掘り出した土は掻き取り本体部３１の開口部内を手前側から奥側に向かってくぐり抜けて地面に落下する。
【００２７】
実施形態の万能１では、図４に示すように、万能１を畝の溝側から畝の山側に沿って移動させても、筒状に形成された掻き取り本体部３は、ガード部３２で作物をガードしているため、また、掻き取り部３１がガード部３１から突出しているわけではないから、掻き取り部３１が作物に接触しにくく傷つける虞れが少ない。
【００２８】
また、掻き取り本体部３が扇形に形成されるとともに、掻き取り部３１が円弧状に形成されている万能１であれば、図５に示すように、溝の長手方向に沿って万能１を引き寄せるように作用する。掻き取り部３１は、溝内に入りやすく、またガード部３２は掻き取り部３１と連接していることから、畝の側面部を多少削り取っても畝を壊さないで草を掻き取ることができる。
【００２９】
さらに、根の深い雑草を根からかき取る場合には、掻き取り部３１とガード部３２との連接部を下方に向けて土を掘る。
【００３０】
上述のように、実施形態の万能は、刃部３１１を有する掻き取り本体部３が扇形筒状に形成されていることから、側面のガード部３２で作物をガードすることができ刃部３１１を作物に接触させないで草を掻き取ることができる。しかも刃部３１１が、掻き取り本体部３から突出して形成されているわけではないことから、怪我をしにくく安全な作業で掻き取り作業をすることができる。さらに、掻き取り本体部３が筒状に形成されていることから、掘り出した土は、掻き取り本体部３をくぐり抜けて地面に落ちることから、掻き取り中において、掻き取り部３１に溜まらず万能を重くさせない。これによって、草の掻き取り作業を容易に行うことができる。
【００３１】
また、掻き取り本体部３が、帯状の板部材を屈曲して形成していることから全て同じ板厚に形成され、このことによっても、それ自体で重量を軽減することができるとともに、土に差し込みやすいことから楽に作業をすることができる。
【図面の簡単な説明】
【００３２】
【図１】本発明の一形態による万能を示す斜視図である。
【図２】同正面図である。
【図３】同側面断面図である。
【図４】図１の万能を使用する第１の作用図である。
【図５】図１の万能を使用する第２の作用図である。
【図６】従来の万能を示す斜視図である。
【図７】従来のあぶみ万能を示す斜視図である。
【符号の説明】
【００３３】
１、万能
３、掻き取り本体部
３１、掻き取り部
３１１、刃部
３２、ガード部
３２１、刃部
３３、連結部
５、柄保持部
７、柄
【図１】
2006174809.tif 000003
【図２】
2006174809.tif 000004
【図３】
2006174809.tif 000005
【図４】
2006174809.tif 000006
【図５】
2006174809.tif 000007
【図６】
2006174809.tif 000008
【図７】
2006174809.tif 000009